(57)【要約】  この発明は、トレッドバンドの供給装置を備えていてそれを介してカーカスにトレッドバンドを供給することができる被覆装置に係り、トレッドバンド（１４）の端部（２１，２２）を相互に結合可能な結合装置を備えるとともに、延伸装置（１６）が端部を結合したリング形状のトレッドバンド（１４）をそのトレッドバンド（１４）の内径がカーカス（４８）の外径に相当するかあるいはそれより大きいものに達するまで延伸する。【選択図】図１
2013528131.tif 000002
【特許請求の範囲】
【請求項１】
トレッドバンドの供給装置を備えていてそれを介してカーカスにトレッドバンドを供給することができる被覆装置であって、トレッドバンド（１４）の端部（２１，２２）を相互に結合可能な結合装置を備えるとともに、延伸装置（１６）が端部を結合したリング形状のトレッドバンド（１４）をそのトレッドバンド（１４）の内径がカーカス（４８）の外径に相当するかあるいはそれより大きいものに達するまで延伸することを特徴とする被覆装置。
【請求項２】
延伸装置（１６）は結合装置によって把持されるトレッドバンド（１４）の端部（２１，２２）を除いてそのトレッドバンド（１４）を均一に延伸することを特徴とする請求項１記載の被覆装置。
【請求項３】
延伸装置（１６）がトレッドバンド（１４）をその直径の１０％未満相当で延伸するとともに、トレッドバンド（１４）は延伸装置上で半径方向内側の圧力をかけながら接合することを特徴とする請求項１または２記載の被覆装置。
【請求項４】
延伸装置（１６）がリング形状のトレッドバンド（１４）を弾力性の変形の範囲を超えて延伸するスプレッダ装置を備えるとともに、そのように延伸されたトレッドバンド（１４）を隙間なくカーカス表面に整合させることを特徴とする請求項１ないし３のいずれかに記載の被覆装置。
【請求項５】
延伸装置（１６）が多様な直径を有するとともに、リング形状のトレッドバンド（１４）を小さな直径を有するシリンダからより大きな直径を有するシリンダへ移送する移送装置を備えることを特徴とする請求項１ないし４のいずれかに記載の被覆装置。
【請求項６】
延伸装置（１６）が中央軸（４１）の周りに放射状に配置された複数の延伸フィンガ（５０）を有するとともに、リング形状のトレッドバンド（１４）を延伸フィンガ（５０）上で小さな周囲長を有する位置（５２）からより大きな周囲長を有する位置（５４）に移送する移送装置を備えることを特徴とする請求項１ないし５のいずれかに記載の被覆装置。
【請求項７】
中央軸（４１）の周りで放射状に配置された複数の延伸フィンガ（５０）において中央軸（４１）と延伸フィンガ（５０）の間の角度が８°を超える場合リング形状のトレッドバンド（１４）の延伸フィンガ（５０）上の位置（５２）から位置（５４）への移送を容易化するローラ（５６）を設けることを特徴とする請求項６記載の被覆装置。
【請求項８】
中央軸（４１）周りに放射状に配置された延伸フィンガ（５０）がその延伸フィンガ（５０）と中央軸（４１）との間で形成する角度が特に全ての延伸フィンガ（５０）について共通で変更可能であることを特徴とする請求項６または７記載の被覆装置。
【請求項９】
結合装置がトレッドバンド（１４）の両端部（２１，２２）を両側で締め付けて固定することを特徴とする請求項１ないし８のいずれかに記載の被覆装置。
【請求項１０】
結合装置がトレッドバンド（１４）の両端部（２１，２２）を当接部で保持することを特徴とする請求項１ないし９のいずれかに記載の被覆装置。
【請求項１１】
結合装置がトレッドバンド（１４）の両端部（２１，２２）をその厚みの少なくとも３０％、特に５０％圧縮することを特徴とする請求項１ないし１０のいずれかに記載の被覆装置。
【請求項１２】
リング形状のトレッドバンド（１４）の延伸の間に結合装置が延伸装置（１６）上で誘導されることを特徴とする請求項１ないし１１のいずれかに記載の被覆装置。
【請求項１３】
トレッドバンドを所与の長さでカーカス周囲上に整合させて設けその際前記トレッドバンドをカーカスの周囲上に着合させる、カーカスとトレッドバンドから自動車用タイヤを再生および／または製造する方法であり、ストライプ形状で存在するトレッドバンド（１４）を着合の前に湾曲させてその両端部（２１，２２）を少なくとも相互に固定し、そのようにして形成されたトレッドバンドリング体を延伸してカーカス（４８）上に取り付けることを特徴とする方法。
【請求項１４】
ストライプ形状に製造されたトレッドバンド（１４）がカーカス（４８）の周囲長よりも短い長さを有することを特徴とする請求項１３記載の方法。
【発明の詳細な説明】
【技術分野】
【０００１】
この発明は、請求項１前段に記載のストライプ形状のトレッドバンドによってカーカスを被覆する被覆装置ならびに請求項１０前段に記載の方法に関する。
【背景技術】
【０００２】
タイヤの再生のためのカーカスの被覆のために、大抵の場合例えば押出成形によってトレッドバンドを製造し、ストライプ形状で提供する。その後そのトレッド面をカーカスに対して供給し、カーカスに気密に着合するように接合の間に幾らか延伸させる。
【０００３】
カーカスへの接合に際してトレッドバンドの両端が互いに整合しその結果ゴム隆起がタイヤの不平衡の原因とならないようにするために、均一な延伸のための多大な制御技術および計測技術のコストが必要となる。
【０００４】
実用上において不可避であるように多様な直径のカーカスが存在する場合、上記のコストが殆ど許容不可能となる。
【０００５】
再生のためにカーカスを処理すべき中古タイヤの剥離に際して、通常中古タイヤの使用済みトレッドを除去するスクレーパナイフが使用される。中古タイヤの年齢、使用されているゴム混合物、さらに部分的には中古タイヤの溝形状に依存し、また特に夏タイヤあるいは中古タイヤのいずれに使用されていたかに応じて、スクレーパナイフが異なった方式で中古タイヤ内に進入する。柔軟性が高い中古タイヤの場合より大きな変形が生じ、他方より柔軟性の低い中古タイヤにおいては一般的にスクレーパナイフがより深く進入する。剥離を機械的かつ自動的に実施し得るとしても、結果において多様なカーカス直径が存在し、例えば数ｍｍの差が生じる。
【０００６】
トレッドバンド長を最適化するための長さ計測装置の一例が独国特許出願公開第２８２９６６０号Ａ１明細書によって開示されている。この解決方式によればトレッドバンドの端部の重ね合わせが示唆されており、それによってトレッド面延伸の精度がそれほど重要なものではなくなる。
【０００７】
より大きな許容誤差を可能にするためにトレッドバンド端部の切り込み角度を著しく小さくすることも提案されている。このことは原則的に可能であるが、剥離がなされたカーカスに整合すべきである適正なトレッドバンド長からの乖離が生じた場合に着合されたトレッドバンド内に隆起あるいは窪みが形成される。
【０００８】
さらに、独国特許第６９５１４０６２号Ｔ２明細書によってカーカスにトレッドストライプを接合する間に長さ調節の視覚的監視を実施することが知られている。
【０００９】
この方法は原則的に可能であるが、多大な人手を要するとともに操作者の能力および経験に大きく依存する。
【００１０】
さらに、均一な延伸を容易に可能にするための別のトレッドストライプ製造方法も原則的に知られている：
この方法によればトレッドストライプが特殊な型内でまずリング形状に製造され延伸装置によってカーカスに供給される。この方法によると、実質的に各タイヤサイズに応じて専用のトレッドストライプを製造するために幅および直径の両方に関して異なった型を形成する必要があるため、リング形状のトレッドストライプバンドの製造に関して極めて高コストなものとなる。
【００１１】
今日におけるタイヤの多様性によって例えばトレッドストライプの製造のみのため、すなわち加硫とは無関係に、例えば５０個の専用の型が必要となり、従って前記の方法が既に過去のものとなっていることも不思議でない。その種の解決方式の例が独国特許第１０８９９５７号明細書および独国特許第１１２７０７０号明細書によって開示されており、いずれの場合も延伸は空気圧によって実施される。
【００１２】
普及はしていないがより近代的な方法が独国特許出願公開第２７１８０８０号Ａ１明細書によって開示されている。
【００１３】
既存の方法はいずれも過度に高コストであるか（リング形状のトレッド面ストライプを使用する旧式の方法）、あるいは多大な計測および制御技術コストをかけて稼働しない限りは品質問題を有する（トレッドバンドを使用する新規の方法）。
【発明の概要】
【発明が解決しようとする課題】
【００１４】
従って本発明の目的は、請求項１前段に記載の被覆装置ならびに比較的に少ないコストにも関わらず高品質の再生タイヤの製造を可能にする請求項１３前段に記載の方法を提供することである。
【課題を解決するための手段】
【００１５】
前記の課題は本発明に従って請求項１ならびに請求項１３によって解決される。好適な追加構成が従属請求項によって示される。
【００１６】
本発明によれば、トレッドバンドが周知の方式のようにストライプ形状に製造される。トレッドバンドの端部が結合装置によって相互に着合され、従ってリング形状のトレッドバンドが形成される。
【００１７】
この意外なほどに単純な手法によって、ストライプ形状のトレッドバンド製造の利点をリング形状に製造されたトレッドバンドの利点と組み合わせることが可能になる。
【００１８】
すなわち本発明によれば、周囲全体にわたってトレッドバンドの均一な延伸を可能にする延伸装置を使用することができる。延伸の最中においても結合装置が端部を常に所要の方式で保持するため、トレッドバンドの端部の接合に関する問題は発生しない。
【００１９】
延伸は通常トレッドバンドの厚み低減を伴うため、結合装置によるトレッドバンドの端部への圧力負荷によってその位置の厚みを同様に低減すれば好適である。
【００２０】
従って、例えばカーカスのばらつきが大きい場合、すなわち後削りを実施せずに単純にカーカスに剥離を施した場合でも、接合部上での品質低下、すなわち隆起または窪みを伴わずにリング形状のトレッドバンドを製造することができる。
【００２１】
本発明に係る方法によれば、例えばトレッドバンドの切断に続いて延伸を１工程で実施してそのトレッドバンドのリング形状への変換を行えば、極めて高いサイクル速度で処理することが可能になる。
【００２２】
そのため、内側からトレッドバンドに付加される加圧あるいは外側からトレッドバンドに付加される負圧によってまたは機械的に実現される自動延伸装置を使用することができ、その際トレッドストライプをカーカスに対して即座に移送する搬送装置に延伸装置を接続すれば極めて好適である。
【００２３】
他方、延伸後に直径が存在し得る最大のカーカス外径に相当するように機能するスプレッダによってリング／ストライプ形状のトレッドバンドを延伸することもできる。スプレッダによって延伸されたリング形状のトレッドバンドがその後側方からカーカスに装着され、その間結合装置がトレッドストライプの端部を保持する。
【００２４】
スプレッダを使用すると、結合装置が解除された場合でもトレッドバンドが広げられた状態でカーカス上に残留する。
【００２５】
他方、トレッドバンドの弾力性の変形を実施することも可能であり、それによればトレッドバンドがより良好にカーカス上に着合するという利点が得られる。この構成形態によれば、トレッドバンドが弾力的に収縮することを防止するために充分な程度にトレッドバンドの表面とカーカスの間の着合がなされた後に初めて結合装置が解除される。
【００２６】
本発明のその他の詳細、特徴、ならびに利点は、添付図面を参照しながら以下に記述する本発明の複数の実施例の説明によって明らかにされる。
【図面の簡単な説明】
【００２７】
【図１】本発明に係る被覆装置の一部としてのトレッドバンドの供給装置を示した概略図である。
【図２】本発明に係る被覆装置の一部としての延伸装置の一実施形態を示した構成図である。
【図３】図２の延伸装置の変更例を示した延伸装置の構成図である。
【図４】本発明に係る被覆装置の一部としての結合装置の一実施形態を示した構成図である。
【図５】本発明に係る延伸装置のさらに別の実施例を示した構成図である。
【図６】本発明に係る延伸装置のさらに別の実施例を示した構成図である。
【発明を実施するための形態】
【００２８】
図１に概略的に示された被覆装置１０は傾斜テーブル１２を備えていて、それが周知の方式によってトレッドバンド１４を裁断してカーカスに供給するよう形成されている。そのため傾斜テーブル１２は図示されていない切断装置および計測装置を備えており、その際計測装置については独国特許第１０１２７７４６号Ｂ４明細書を全体的に引用する。
【００２９】
図１からさらに明らかなように、傾斜テーブル１２はトレッドバンド１４がカーカスに対して下方に滑動し得るような傾斜を有している。それによって操作者がカーカスを過度に強く持ち上げる必要はないがそれに関わらず直立姿勢でトレッドバンド１４を所要の位置で切断し得ることも確立される。
【００３０】
本発明によれば、傾斜テーブルに対して直接的に接続して延伸装置１６を配置することが極めて好適である。
【００３１】
延伸装置１６は小さな直径を有するドラム１８とより大きな直径を有するドラム２０を備え、図１および以降の図面において明確化のために直径の差が強調して示されている。
【００３２】
図１から明らかなように、トレッドバンド１４は延伸装置１６に対して小さいドラム１８の下側の頂点上で供給される。
【００３３】
図示された実施例において、実質的に小さいほうのドラム１８の外径に相当する長さでトレッドバンド１４が裁断される。ドラム１８を回転させることによってトレッドバンド１４がドラム上に巻き付けられる。その後ドラム１８をさらに反回転移動させ、それによってトレッドバンド１４の両方の端部２１および２２の接合部が略ドラム１８の上方の頂点に位置するようにする。この位置に図示されていない結合装置が設置され、それによって端部２１および２２を相互に接合する。
【００３４】
結合装置による固着の後に元々ストライプ形状であったトレッドバンド１４がリング形状になって延伸装置１６によってその直径で均一に延伸することができ、より大きなドラム２０に適合するようにされる。
【００３５】
図２には、延伸装置１６の概略構成が示されている。トレッドストライプ１４は円錐領域２４を介してドラム１８からドラム２０に低速で移送される。ここで図示されている実施形態はトレッドストライプ１４が適正形状で存在する場合にのみ可能となる。
【００３６】
図３には、スプレッダ要素３０による半径方向の延伸によってトレッドストライプを半径方向に延伸させる、すなわち伸張することを可能にするスプレッダ装置が概略的に示されている。スプレッダ装置の作用によって図示されていないカーカスに適合するまでトレッドストライプが延伸される。その後スプレッダ要素３０が斜めに下降してトレッドバンドがカーカス上に移動するようにし、ここで「下降」とはスプレッダ要素３０の端部の半径方向内側への移動を意味する。
【００３７】
概略的に示されている結合装置３２が締め付け要素３４および３６を備え、それらはトレッドバンド１４の端部２１，２２を接合部上で相互に固定するように作用する。図示された実施例において結合装置はガイド３８内を誘導され、延伸装置１６の動作の間にトレッドバンド１４と連動する。
【００３８】
その他の任意の種類の結合装置も本発明の範囲を逸脱することなく採用可能であることが理解され、その際端部２１および２２の直線状の切断に代えて互いに整合するような斜めの切断を行うことも排除されない。
【００３９】
図５には、延伸装置１６の別の変更された実施形態が示されている。この延伸装置１６は、ドラム１８の領域およびドラム２０の領域、さらには円錐領域２４の全てにいずれも斜めに突立するよう配置された多数のローラ４０を備える。
【００４０】
図５に示された延伸装置１６の実施形態は、トレッドストライプが弾力性でかつ場合によって粘着しやすい状態で存在する場合に適用可能である。図示された実施例においてドラム１８は、延伸装置１６の軸４１に対して例えば２０°の傾斜角度を有する多数のローラ４０を備える。ローラ４０は軸方向において前後しかつ複数の列をもって周囲上に分配され、従って同じ軸方向位置において例えば８本のローラがそこでリング形状に存在するトレッドバンドを内側から支承して誘導する。
【００４１】
ローラ４０は純粋な回転ローラ、すなわち非駆動で存在するが、ローラ４２は特殊な方式で構成することが好適である。ローラ４２は延伸装置１６の円錐領域内に延在し、ドラム１８に向かって縮小するとともにドラム２０に向かっては拡大する。それらは、軸４１に対して同軸方向に支承される駆動ドラム４４に対して内側から斜めに接合する。ローラ４２の駆動によって操作者が支援される。それによってまずローラ４０上に接合しているリング形状のトレッドバンドが軽く回転されると、そのトレッドバンドは８本のローラ４２ａの領域に到達し、従ってトレッドバンドが駆動されて実質的に自動的に延伸される。
【００４２】
ドラム２０の方向に向かってローラ４２のローラ直径を増加させることによって駆動ドラム４４を介した単純な駆動が実現するが、他方ローラ４２毎に電気モータを設けることも可能であり、その場合図示された実施例において当然４０個の電気モータが必要となる。
【００４３】
ローラ４０，４２および４３の支承のために一種の支持グリッド４６が設けられ、それがローラに適合するカットアウトを備えていて、そのことはローラ４２ｅの領域に図示されている。
【００４４】
大きな方のドラム２０のローラ４３もローラ４０と同様に非駆動であることが好適である。
【００４５】
大きな方のドラム２０に接続して、トレッドバンドがカーカス４８の周囲に固定的に装着されるまで延伸装置によってカーカス４８に対して供給される。
【００４６】
カーカス４８のカーカス直径が大きい方のドラム３０の直径よりも幾らか小さいものであれば極めて好適である。それによってカーカス４８を少なくとも部分的にドラム２０内に挿入することができ、それによってトレッドバンド１４をカーカス４８上に容易に移送することが可能になり、そのためにトレッドバンドを大きな方のドラムからさらに巻き出して同時にカーカス４８をドラム２８から送出する。
【００４７】
図６には延伸装置１６の変更された実施形態が示されている。この延伸装置１６は軸４１周りで回転対称に放射状に配置された複数の延伸フィンガ５０を備え、それらの相互間の距離が開始位置５２から末端位置５４に向かって拡大する。リング形状のトレッドバンド１４は開始位置５２上で延伸フィンガ５０に到達し末端位置５４の方向に搬送される。そのように拡大する各延伸フィンガ５０の間の距離によって所要の最大延伸までのトレッドバンド１４の長さの増加が達成される。
【００４８】
好適にはフィンガ５０内に配置されたローラ５６が摩擦の低減によって位置５２から末端位置５４へのトレッドバンド１４の搬送を容易にする、延伸装置の別の変更点が図６にさらに示されている。軸４１に対する延伸フィンガ５０の角度がより大きくなると延伸フィンガ上におけるトレッドバンドの摩擦が著しく増加するため、トレッドバンドのゴム組成、延伸フィンガの表面特性等の種々の特性パラメータに依存して所定の角度から前記のローラ５６が必要となる。
【００４９】
別の好適な実施形態によれば、図示されていないが軸４１に対しての延伸フィンガ５０の連帯的な角度の調節によって本発明に係る延伸装置１６を多様なカーカス直径に適応させることができる。その角度調節は液圧式、ネジ式、あるいはトレッドバンドの延伸に際して発生する高い応力を許容するその他の適宜な駆動機構によって実施することができる。
【００５０】
延伸フィンガ５０の斜めに設定されたセクション末端上に軸４１に平行に延在するセクション５８が延在する、延伸装置の変更点が図６にさらに示されている。この軸に平行なセクション５８は延伸するトレッドバンド１４の幅に略匹敵する幅を有することが好適である。この軸に平行な末端セクションによりその部分でトレッドバンドがそれ以上延伸されずに再生するカーカス４８に対してそのまま搬送される。他方でその軸に平行なセクションによってリング形状のトレッドバンドを延伸する必要がある最大直径が必要最小限まで低減され、延伸フィンガがカーカス４８を覆い掴む場合に生成すべきカーカス４８の延伸装置への装着が容易になる。
【００５１】
ここで説明した延伸装置の種類に代えてその他の任意の延伸装置が使用可能であることが理解される。例えば、より大きな周囲を有するストライプ形状／リング形状のトレッドバンド用にカーカス上での機械的延伸および収縮を伴った延伸装置を実現することもでき、それによって著しく多様なカーカス直径に対応することもできる。
【図１】
2013528131.tif 000003
【図２】
2013528131.tif 000004
【図３】
2013528131.tif 000005
【図４】
2013528131.tif 000006
【図５】
2013528131.tif 000007
【図６】
2013528131.tif 000008
【手続補正書】
【提出日】平成25年2月9日(2013.2.9)
【手続補正１】
【補正対象書類名】明細書
【補正対象項目名】全文
【補正方法】変更
【補正の内容】
【発明の詳細な説明】
【技術分野】
【０００１】
この発明は、請求項１前段に記載の帯体形状のトレッドバンドによってカーカスを被覆する被覆装置ならびに請求項１０前段に記載の方法に関する。
【背景技術】
【０００２】
タイヤの再生のためのカーカスの被覆のために、大抵の場合例えば押出成形によってトレッドバンドを製造し、帯体形状で提供する。その後そのトレッド面をカーカスに対して供給し、カーカスに気密に着合するように接合の間に幾らか延伸させる。
【０００３】
カーカスへの接合に際してトレッドバンドの両端が互いに整合しその結果ゴム隆起がタイヤの不平衡の原因とならないようにするために、均一な延伸のための多大な制御技術および計測技術のコストが必要となる。
【０００４】
実用上において不可避であるように多様な直径のカーカスが存在する場合、上記のコストが殆ど許容不可能となる。
【０００５】
再生のためにカーカスを処理すべき中古タイヤの剥離に際して、通常中古タイヤの使用済みトレッドを除去するスクレーパナイフが使用される。中古タイヤの年齢、使用されているゴム混合物、さらに部分的には中古タイヤの溝形状に依存し、また特に夏タイヤあるいは中古タイヤのいずれに使用されていたかに応じて、スクレーパナイフが異なった方式で中古タイヤ内に進入する。柔軟性が高い中古タイヤの場合より大きな変形が生じ、他方より柔軟性の低い中古タイヤにおいては一般的にスクレーパナイフがより深く進入する。剥離を機械的かつ自動的に実施し得るとしても、結果において多様なカーカス直径が存在し、例えば数ｍｍの差が生じる。
【０００６】
トレッドバンド長を最適化するための長さ計測装置の一例が独国特許出願公開第２８２９６６０号Ａ１明細書によって開示されている。この解決方式によればトレッドバンドの端部の重ね合わせが示唆されており、それによってトレッド面延伸の精度がそれほど重要なものではなくなる。
【０００７】
より大きな許容誤差を可能にするためにトレッドバンド端部の切り込み角度を著しく小さくすることも提案されている。このことは原則的に可能であるが、剥離がなされたカーカスに整合すべきである適正なトレッドバンド長からの乖離が生じた場合に着合されたトレッドバンド内に隆起あるいは窪みが形成される。
【０００８】
さらに独国特許第６９５１４０６２号Ｔ２明細書によってカーカスにトレッドストライプを接合する間に長さ調節の視覚的監視を実施することが知られている。
【０００９】
この方法は原則的に可能であるが、多大な人手を要するとともに操作者の能力および経験に大きく依存する。
【００１０】
さらに、均一な延伸を容易に可能にするための別のトレッドストライプ製造方法も原則的に知られている：
この方法によればトレッドストライプが特殊な型内でまずリング形状に製造され延伸装置によってカーカスに供給される。この方法によると、実質的に各タイヤサイズに応じて専用のトレッドストライプを製造するために幅および直径の両方に関して異なった型を形成する必要があるため、リング形状のトレッドストライプバンドの製造に関して極めて高コストなものとなる。
【００１１】
今日におけるタイヤの多様性によって例えばトレッドストライプの製造のみのため、すなわち加硫とは無関係に、例えば５０個の専用の型が必要となり、従って前記の方法が既に過去のものとなっていることも不思議でない。その種の解決方式の例が独国特許第１０８９９５７号明細書および独国特許第１１２７０７０号明細書によって開示されており、いずれの場合も延伸は空気圧によって実施される。
【００１２】
普及はしていないがより近代的な方法が独国特許出願公開第２７１８０８０号Ａ１明細書によって開示されている。
【００１３】
米国特許出願公開第２００２／１７０６５２号Ａ１明細書は、トレッド伸張器具上にトレッドを取り付けるステップを有しマウントホイール上にケーシングが取り付けられる前にマウントホイール上にトレッドを整合させる、空気タイヤに環状トレッドを取り付ける方法に関する。この装置において、一端から延在するケーシングおよびトレッドを支承するメカニズムによって操作者が装置の前方から作業することが可能になる。
【００１４】
米国特許出願公開第２００５／０３４８０４号Ａ１明細書により、トレッド材料の各端部の適正な接合条件を実現する、基礎タイヤ上にトレッド材料を延伸するトレッド再生装置および方法が開示されている。それによれば、切断位置を含んだトレッド材料の領域の写真を撮影して蓄積されているトレッドパターンイメージ写真と比較し、それらの間の相違を検出する。相違が存在する場合はトレッド材料を切断しトレッド材料の接続端部を均一化することによって整合性を補正する。
【００１５】
特開平６−４７８３８号公報は、伸張されたトレッドゴムの接着端からの剥離が発生することを防止する、空気タイヤの製造方法に関する。膨張剤が混合され加硫化されていないトレッドゴムを原材料ケース上に巻きつける際に、加熱した材料が粘着性になることからトレッドゴムの末端部をハロゲンランプによって加熱する。従って所与の条件下で加硫化された原材料タイヤは各端部に隔室が存在せず確実に接着され、従ってタイヤが使用される際にも剥離が発生しない。
【００１６】
特開昭５９−１４３６１１号公報によって、収縮率、厚み、および長さを自由に選定可能な熱収縮チューブの連続成形プロセスが開示されており、それによれば平坦な押型から平らなテープが送出されて回転体に供給され、処理中にその平らなテープが回転体上に巻き付けられて重ね合わせる。
【００１７】
国際公開第２００７／０６１４００号Ａ１パンフレットは、柔軟タイヤを形成するための型内におけるコアの配置のためのプライおよびベルトのコアを形成するための方法および装置に関する。上、下、および中央ハブプレートの間に配置された硬質発泡体部品から形成された内型の心棒上にコアが形成される。伸張器コーンに沿って通過するようにするために、コアを形成するためのプライが編み物として形成されたスリーブとして形成される。
【００１８】
既存の方法はいずれも過度に高コストであるか（リング形状のトレッド面ストライプを使用する旧式の方法）、あるいは多大な計測および制御技術コストをかけて稼働しない限りは品質問題を有する（トレッドバンドを使用する新規の方法）。
【発明の概要】
【発明が解決しようとする課題】
【００１９】
従って本発明の目的は、請求項１前段に記載の被覆装置ならびに比較的に少ないコストにも関わらず高品質の再生タイヤの製造を可能にする請求項１３前段に記載の方法を提供することである。
【課題を解決するための手段】
【００２０】
前記の課題は本発明に従って請求項１ならびに請求項１３によって解決される。好適な追加構成が従属請求項によって示される。
【００２１】
本発明によれば、トレッドバンドが周知の方式のようにストライプ形状に製造される。トレッドバンドの端部が結合装置によって相互に着合され、従ってリング形状のトレッドバンドが形成される。
【００２２】
この意外なほどに単純な手法によって、ストライプ形状のトレッドバンド製造の利点をリング形状に製造されたトレッドバンドの利点と組み合わせることが可能になる。
【００２３】
すなわち本発明によれば、周囲全体にわたってトレッドバンドの均一な延伸を可能にする延伸装置を使用することができる。延伸の最中においても結合装置が端部を常に所要の方式で保持するため、トレッドバンドの端部の接合に関する問題は発生しない。
【００２４】
延伸は通常トレッドバンドの厚み低減を伴うため、結合装置によるトレッドバンドの端部への圧力負荷によってその位置の厚みを同様に低減すれば好適である。
【００２５】
従って、例えばカーカスのばらつきが大きい場合、すなわち後削りを実施せずに単純にカーカスに剥離を施した場合でも、接合部上での品質低下、すなわち隆起または窪みを伴わずにリング形状のトレッドバンドを製造することができる。
【００２６】
本発明に係る方法によれば、例えばトレッドバンドの切断に続いて延伸を１工程で実施してそのトレッドバンドのリング形状への変換を行えば、極めて高いサイクル速度で処理することが可能になる。
【００２７】
そのため、内側からトレッドバンドに付加される加圧あるいは外側からトレッドバンドに付加される負圧によってまたは機械的に実現される自動延伸装置を使用することができ、その際トレッドストライプをカーカスに対して即座に移送する搬送装置に延伸装置を接続すれば極めて好適である。
【００２８】
他方、延伸後に直径が存在し得る最大のカーカス外径に相当するように機能するスプレッダによってリング／ストライプ形状のトレッドバンドを延伸することもできる。スプレッダによって延伸されたリング形状のトレッドバンドがその後側方からカーカスに装着され、その間結合装置がトレッドストライプの端部を保持する。
【００２９】
スプレッダを使用すると、結合装置が解除された場合でもトレッドバンドが広げられた状態でカーカス上に残留する。
【００３０】
他方、トレッドバンドの弾力性の変形を実施することも可能であり、それによればトレッドバンドがより良好にカーカス上に着合するという利点が得られる。この構成形態によれば、トレッドバンドが弾力的に収縮することを防止するために充分な程度にトレッドバンドの表面とカーカスの間の着合がなされた後に初めて結合装置が解除される。
【００３１】
本発明のその他の詳細、特徴、ならびに利点は、添付図面を参照しながら以下に記述する本発明の複数の実施例の説明によって明らかにされる。
【図面の簡単な説明】
【００３２】
【図１】本発明に係る被覆装置の一部としてのトレッドバンドの供給装置を示した概略図である。
【図２】本発明に係る被覆装置の一部としての延伸装置の一実施形態を示した構成図である。
【図３】図２の延伸装置の変更例を示した延伸装置の構成図である。
【図４】本発明に係る被覆装置の一部としての結合装置の一実施形態を示した構成図である。
【図５】本発明に係る延伸装置のさらに別の実施例を示した構成図である。
【図６】本発明に係る延伸装置のさらに別の実施例を示した構成図である。
【発明を実施するための形態】
【００３３】
図１に概略的に示された被覆装置１０は傾斜テーブル１２を備えていて、それが周知の方式によってトレッドバンド１４を裁断してカーカスに供給するよう形成されている。そのため傾斜テーブル１２は図示されていない切断装置および計測装置を備えている。
【００３４】
図１からさらに明らかなように、傾斜テーブル１２はトレッドバンド１４がカーカスに対して下方に滑動し得るような傾斜を有している。それによって操作者がカーカスを過度に強く持ち上げる必要はないがそれに関わらず直立姿勢でトレッドバンド１４を所要の位置で切断し得ることも確立される。
【００３５】
本発明によれば、傾斜テーブルに対して直接的に接続して延伸装置１６を配置することが極めて好適である。
【００３６】
延伸装置１６は小さな直径を有するドラム１８とより大きな直径を有するドラム２０を備え、図１および以降の図面において明確化のために直径の差が強調して示されている。
【００３７】
図１から明らかなように、トレッドバンド１４は延伸装置１６に対して小さいドラム１８の下側の頂点上で供給される。
【００３８】
図示された実施例において、実質的に小さいほうのドラム１８の外径に相当する長さでトレッドバンド１４が裁断される。ドラム１８を回転させることによってトレッドバンド１４がドラム上に巻き付けられる。その後ドラム１８をさらに反回転移動させ、それによってトレッドバンド１４の両方の端部２１および２２の接合部が略ドラム１８の上方の頂点に位置するようにする。この位置に図示されていない結合装置が設置され、それによって端部２１および２２を相互に接合する。
【００３９】
結合装置による固着の後に元々ストライプ形状であったトレッドバンド１４がリング形状になって延伸装置１６によってその直径で均一に延伸することができ、より大きなドラム２０に適合するようにされる。
【００４０】
図２には、延伸装置１６の概略構成が示されている。トレッドストライプ１４は円錐領域２４を介してドラム１８からドラム２０に低速で移送される。ここで図示されている実施形態はトレッドストライプ１４が適正形状で存在する場合にのみ可能となる。
【００４１】
図３には、スプレッダ要素３０による半径方向の延伸によってトレッドストライプを半径方向に延伸させる、すなわち伸張することを可能にするスプレッダ装置が概略的に示されている。スプレッダ装置の作用によって図示されていないカーカスに適合するまでトレッドストライプが延伸される。その後スプレッダ要素３０が斜めに下降してトレッドバンドがカーカス上に移動するようにし、ここで「下降」とはスプレッダ要素３０の端部の半径方向内側への移動を意味する。
【００４２】
概略的に示されている結合装置３２が締め付け要素３４および３６を備え、それらはトレッドバンド１４の端部２１，２２を接合部上で相互に固定するように作用する。図示された実施例において結合装置はガイド３８内を誘導され、延伸装置１６の動作の間にトレッドバンド１４と連動する。
【００４３】
その他の任意の種類の結合装置も本発明の範囲を逸脱することなく採用可能であることが理解され、その際端部２１および２２の直線状の切断に代えて互いに整合するような斜めの切断を行うことも排除されない。
【００４４】
図５には、延伸装置１６の別の変更された実施形態が示されている。この延伸装置１６は、ドラム１８の領域およびドラム２０の領域、さらには円錐領域２４の全てにいずれも斜めに突立するよう配置された多数のローラ４０を備える。
【００４５】
図５に示された延伸装置１６の実施形態は、トレッドストライプが弾力性でかつ場合によって粘着しやすい状態で存在する場合に適用可能である。図示された実施例においてドラム１８は、延伸装置１６の軸４１に対して例えば２０°の傾斜角度を有する多数のローラ４０を備える。ローラ４０は軸方向において前後しかつ複数の列をもって周囲上に分配され、従って同じ軸方向位置において例えば８本のローラがそこでリング形状に存在するトレッドバンドを内側から支承して誘導する。
【００４６】
ローラ４０は純粋な回転ローラ、すなわち非駆動で存在するが、ローラ４２は特殊な方式で構成することが好適である。ローラ４２は延伸装置１６の円錐領域内に延在し、ドラム１８に向かって縮小するとともにドラム２０に向かっては拡大する。それらは、軸４１に対して同軸方向に支承される駆動ドラム４４に対して内側から斜めに接合する。ローラ４２の駆動によって操作者が支援される。それによってまずローラ４０上に接合しているリング形状のトレッドバンドが軽く回転されると、そのトレッドバンドは８本のローラ４２ａの領域に到達し、従ってトレッドバンドが駆動されて実質的に自動的に延伸される。
【００４７】
ドラム２０の方向に向かってローラ４２のローラ直径を増加させることによって駆動ドラム４４を介した単純な駆動が実現するが、他方ローラ４２毎に電気モータを設けることも可能であり、その場合図示された実施例において当然４０個の電気モータが必要となる。
【００４８】
ローラ４０，４２および４３の支承のために一種の支持グリッド４６が設けられ、それがローラに適合するカットアウトを備えていて、そのことはローラ４２ｅの領域に図示されている。
【００４９】
大きな方のドラム２０のローラ４３もローラ４０と同様に非駆動であることが好適である。
【００５０】
大きな方のドラム２０に接続して、トレッドバンドがカーカス４８の周囲に固定的に装着されるまで延伸装置によってカーカス４８に対して供給される。
【００５１】
カーカス４８のカーカス直径が大きい方のドラム２０の直径よりも幾らか小さいものであれば極めて好適である。それによってカーカス４８を少なくとも部分的にドラム２０内に挿入することができ、それによってトレッドバンド１４をカーカス４８上に容易に移送することが可能になり、そのためにトレッドバンドを大きな方のドラムからさらに巻き出して同時にカーカス４８をドラム２０から送出する。
【００５２】
図６には延伸装置１６の変更された実施形態が示されている。この延伸装置１６は軸４１周りで回転対称に放射状に配置された複数の延伸フィンガ５０を備え、それらの相互間の距離が開始位置５２から末端位置５４に向かって拡大する。リング形状のトレッドバンド１４は開始位置５２上で延伸フィンガ５０に到達し末端位置５４の方向に搬送される。そのように拡大する各延伸フィンガ５０の間の距離によって所要の最大延伸までのトレッドバンド１４の長さの増加が達成される。
【００５３】
好適にはフィンガ５０内に配置されたローラ５６が摩擦の低減によって位置５２から末端位置５４へのトレッドバンド１４の搬送を容易にする、延伸装置の別の変更点が図６にさらに示されている。軸４１に対する延伸フィンガ５０の角度がより大きくなると延伸フィンガ上におけるトレッドバンドの摩擦が著しく増加するため、トレッドバンドのゴム組成、延伸フィンガの表面特性等の種々の特性パラメータに依存して所定の角度から前記のローラ５６が必要となる。
【００５４】
別の好適な実施形態によれば、図示されていないが軸４１に対しての延伸フィンガ５０の連帯的な角度の調節によって本発明に係る延伸装置１６を多様なカーカス直径に適応させることができる。その角度調節は液圧式、ネジ式、あるいはトレッドバンドの延伸に際して発生する高い応力を許容するその他の適宜な駆動機構によって実施することができる。
【００５５】
延伸フィンガ５０の斜めに設定されたセクション末端上に軸４１に平行に延在するセクション５８が延在する、延伸装置の変更点が図６にさらに示されている。この軸に平行なセクション５８は延伸するトレッドバンド１４の幅に略匹敵する幅を有することが好適である。この軸に平行な末端セクションによりその部分でトレッドバンドがそれ以上延伸されずに再生するカーカス４８に対してそのまま搬送される。他方でその軸に平行なセクションによってリング形状のトレッドバンドを延伸する必要がある最大直径が必要最小限まで低減され、延伸フィンガがカーカス４８を覆い掴む場合に生成すべきカーカス４８の延伸装置への装着が容易になる。
【００５６】
ここで説明した延伸装置の種類に代えてその他の任意の延伸装置が使用可能であることが理解される。例えば、より大きな周囲を有するストライプ形状／リング形状のトレッドバンド用にカーカス上での機械的延伸および収縮を伴った延伸装置を実現することもでき、それによって著しく多様なカーカス直径に対応することもできる。
【国際調査報告】
2013528131.tif 000009
2013528131.tif 000010
2013528131.tif 000011
2013528131.tif 000012
2013528131.tif 000013
2013528131.tif 000014